(57)【特許請求の範囲】
【請求項１】
媒体を取り入れ搬送する搬入搬送路と、
上記搬入搬送路から分岐し、上記媒体の表裏を１枚ずつ反転し搬送する反転搬送路と、
上記搬入搬送路から分岐して上記媒体の搬送方向下流側において合流し、上記媒体を搬送する非反転搬送路と、
上記反転搬送路に設けられ当該反転搬送路を遮断する遮断部と、
上記遮断部により上記反転搬送路を搬送される上記媒体を保留する媒体保留状態と、進行させる媒体通過状態とを切り替え、表裏を反転する先行の裏向き媒体の次に表裏を反転しない表向き媒体が取り入れられた場合、当該先行の裏向き媒体を上記反転搬送路に保留し当該表向き媒体を停止させず搬送することにより、当該表向き媒体を当該先行の裏向き媒体よりも先行させ、先行の上記表向き媒体の次に表向き媒体が取り入れられた場合上記先行の裏向き媒体の保留を継続する一方、先行の上記表向き媒体の次に裏向き媒体が取り入れられた場合或いは後続する媒体が存在しない場合上記先行の裏向き媒体の保留を解除し、一方、上記先行の裏向き媒体の次に後行の裏向き媒体が取り入れられた場合、上記先行の裏向き媒体を上記反転搬送路へ搬送しつつ保留せず当該後行の裏向き媒体を停止させず当該反転搬送路へ搬送する媒体搬送制御部と
を有する媒体表裏反転装置。
【請求項２】
上記反転搬送路及び上記非反転搬送路が上記搬入搬送路から分岐する搬送分岐部分から、上記反転搬送路及び上記非反転搬送路が合流する搬送合流部分までにおける、上記非反転搬送路の搬送路長は、上記反転搬送路の搬送路長よりも短く形成されている
請求項１に記載の媒体表裏反転装置。
【請求項３】
上記媒体搬送制御部は、
上記反転搬送路を搬送される媒体の一側面側に回転可能に設けられた第１のローラと、
上記第１のローラに対向して上記反転搬送路を搬送される媒体の他側面側に回転可能に設けられた第２のローラと、
を有し、
上記媒体保留状態において上記第１のローラの回転を停止させる
請求項２に記載の媒体表裏反転装置。
【請求項４】
上記媒体搬送制御部は、
上記媒体保留状態において、上記反転搬送路を搬送される媒体を上記第１のローラと上記第２のローラとで挟持した状態で上記第１のローラの回転を停止させる
請求項３に記載の媒体表裏反転装置。
【請求項５】
上記媒体搬送制御部は、
上記反転搬送路を搬送される媒体の一側面側に回転可能に設けられた第１のローラと、
上記第１のローラに対向して上記反転搬送路を搬送される媒体の他側面側に回転可能に設けられた第２のローラと
を有する請求項２に記載の媒体表裏反転装置。
【請求項６】
上記媒体搬送制御部は、
上記媒体保留状態において、上記第１のローラを上記第２のローラから離隔するよう移動させる
請求項５に記載の媒体表裏反転装置。
【請求項７】
上記媒体搬送制御部は、
上記媒体保留状態において、上記反転搬送路で進行方向が転換された媒体を保留する
請求項２に記載の媒体表裏反転装置。
【請求項８】
上記媒体搬送制御部は、
先行の表裏を反転する媒体の次に、後行の表裏を反転する媒体がさらに取り入れられた場合、当該後行の表裏を反転する媒体が仮に上記非反転搬送路を通過した場合とほぼ同じタイミングで、当該先行の表裏を反転する媒体を上記反転搬送路から搬送方向下流側へ搬送する
請求項２に記載の媒体表裏反転装置。
【請求項９】
上記反転搬送路は、上記媒体保留状態において１枚のみの上記媒体を保留する
請求項２に記載の媒体表裏反転装置。
【請求項１０】
媒体に関する取引を受け付ける接客部と、
上記接客部により受け付けた上記媒体を搬送する搬送部と、
上記媒体を上記搬送部から取り入れ搬送する搬入搬送路と、
上記搬入搬送路から分岐し、上記媒体の表裏を１枚ずつ反転し搬送する反転搬送路と、
上記搬入搬送路から分岐して上記媒体の搬送方向下流側において合流し、上記媒体を搬送する非反転搬送路と、
上記反転搬送路に設けられ当該反転搬送路を遮断する遮断部と、
上記遮断部により上記反転搬送路を搬送される上記媒体を保留する媒体保留状態と、進行させる媒体通過状態とを切り替え、表裏を反転する先行の裏向き媒体の次に表裏を反転しない表向き媒体が取り入れられた場合、当該先行の裏向き媒体を上記反転搬送路に保留し当該表向き媒体を停止させず搬送することにより、当該表向き媒体を当該先行の裏向き媒体よりも先行させ、先行の上記表向き媒体の次に表向き媒体が取り入れられた場合上記先行の裏向き媒体の保留を継続する一方、先行の上記表向き媒体の次に裏向き媒体が取り入れられた場合或いは後続する媒体が存在しない場合上記先行の裏向き媒体の保留を解除し、一方、上記先行の裏向き媒体の次に後行の裏向き媒体が取り入れられた場合、上記先行の裏向き媒体を上記反転搬送路へ搬送しつつ保留せず当該後行の裏向き媒体を停止させず当該反転搬送路へ搬送する媒体搬送制御部と
を有する媒体取引装置。
【発明の詳細な説明】
【技術分野】
【０００１】
本発明は、媒体表裏反転装置及び媒体取引装置に関し、例えば現金等の媒体を投入して所望の取引を行う現金自動預払機（ＡＴＭ：Automatic Teller Machine）等の媒体取引装置に搭載され、紙幣や伝票等の媒体の表裏を取り揃える媒体表裏反転装置に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機においては、出金取引の際、紙幣の表裏を取り揃えて顧客に支払いするようにしたものがある（例えば、特許文献１参照）。
【０００４】
このような現金自動預払機は、例えば図１４に示すような、所謂スイッチバック方式の表裏反転部２４０を有する。当該表裏反転部２４０は、非反転搬送路２４４と反転搬送路２４６とが設けられ、表向きの紙幣は非反転搬送路２４４を通してそのまま搬送し、裏向きの紙幣は反転搬送路２４６を通すことにより表向きに反転して搬送する。
【０００５】
表裏反転部２４０は、裏向きの紙幣を反転プール部２５８に送り込み、これまで搬送方向に対して後端であった端部を先頭として再び搬送することにより、裏向きの紙幣の表裏を反転する。
【先行技術文献】
【特許文献】
【０００６】
【特許文献１】特開平９−１１０２６５号公報
【発明の概要】
【発明が解決しようとする課題】
【０００７】
表裏反転部２４０においては、非反転搬送路と反転搬送路との搬送路長を一致させることにより、非反転搬送路２４４を通過した表向きの紙幣と反転搬送路２４６を通過した裏向きの紙幣とが合流する際、先行する紙幣と後続の紙幣とが衝突しないように構成されている。
【０００８】
従って非反転搬送路２４４の長さは、反転プール部２５８内での反転動作の所要時間に相当する分を加える必要があるため、表裏反転部２４０が大型化してしまう。
【０００９】
本発明は以上の点を考慮してなされたもので、小型化し得る媒体表裏反転装置及び媒体取引装置を提案しようとするものである。
【課題を解決するための手段】
【００１０】
かかる課題を解決するため本発明の媒体表裏反転装置においては、媒体を取り入れ搬送する搬入搬送路と、搬入搬送路から分岐し、媒体の表裏を１枚ずつ反転し搬送する反転搬送路と、搬入搬送路から分岐して媒体の搬送方向下流側において合流し、媒体を搬送する非反転搬送路と、反転搬送路に設けられ当該反転搬送路を遮断する遮断部と、遮断部により反転搬送路を搬送される媒体を保留する媒体保留状態と、進行させる媒体通過状態とを切り替え、表裏を反転する先行の裏向き媒体の次に表裏を反転しない表向き媒体が取り入れられた場合、当該先行の裏向き媒体を反転搬送路に保留し当該表向き媒体を停止させず搬送することにより、当該表向き媒体を当該先行の裏向き媒体よりも先行させ、先行の表向き媒体の次に表向き媒体が取り入れられた場合先行の裏向き媒体の保留を継続する一方、先行の表向き媒体の次に裏向き媒体が取り入れられた場合或いは後続する媒体が存在しない場合先行の裏向き媒体の保留を解除し、一方、先行の裏向き媒体の次に後行の裏向き媒体が取り入れられた場合、先行の裏向き媒体を反転搬送路へ搬送しつつ保留せず当該後行の裏向き媒体を停止させず当該反転搬送路へ搬送する媒体搬送制御部とを設けるようにした。
【００１１】
この媒体表裏反転装置は、非反転搬送路と反転搬送路との搬送路長を一致させることなく、紙幣の表裏反転を行うことができる。
【００１２】
また本発明の媒体取引装置においては、媒体に関する取引を受け付ける接客部と、接客部により受け付けた媒体を搬送する搬送部と、媒体を搬送部から取り入れ搬送する搬入搬送路と、搬入搬送路から分岐し、媒体の表裏を１枚ずつ反転し搬送する反転搬送路と、搬入搬送路から分岐して媒体の搬送方向下流側において合流し、媒体を搬送する非反転搬送路と、反転搬送路に設けられ当該反転搬送路を遮断する遮断部と、遮断部により反転搬送路を搬送される媒体を保留する媒体保留状態と、進行させる媒体通過状態とを切り替え、表裏を反転する先行の裏向き媒体の次に表裏を反転しない表向き媒体が取り入れられた場合、当該先行の裏向き媒体を反転搬送路に保留し当該表向き媒体を停止させず搬送することにより、当該表向き媒体を当該先行の裏向き媒体よりも先行させ、先行の表向き媒体の次に表向き媒体が取り入れられた場合先行の裏向き媒体の保留を継続する一方、先行の表向き媒体の次に裏向き媒体が取り入れられた場合或いは後続する媒体が存在しない場合先行の裏向き媒体の保留を解除し、一方、先行の裏向き媒体の次に後行の裏向き媒体が取り入れられた場合、先行の裏向き媒体を反転搬送路へ搬送しつつ保留せず当該後行の裏向き媒体を停止させず当該反転搬送路へ搬送する媒体搬送制御部とを設けるようにした。
【００１３】
この媒体取引装置は、媒体表裏反転装置において非反転搬送路と反転搬送路との搬送路長を一致させることなく、紙幣の表裏反転を行うことができる。
【発明の効果】
【００１４】
本発明によれば、非反転搬送路と反転搬送路との搬送路長を一致させることなく、紙幣の表裏反転を行うことができる。かくして本発明は、小型化し得る媒体表裏反転装置及び媒体取引装置を実現できる。
【図面の簡単な説明】
【００１５】
【図１】現金自動預払機の構成における前面、左側面及び上面を示す斜視図である。
【図２】紙幣入出金機の構成を示す右側面図である。
【図３】第１の実施の形態による表裏反転部の構成を示す側面図である。
【図４】第１の実施の形態による表裏反転部において表向き紙幣を搬送する様子を示す側面図である。
【図５】第１の実施の形態による表裏反転部において裏向き紙幣を搬送する様子を示す側面図である。
【図６】第１の実施の形態による表裏反転部において裏向き紙幣を保持する様子を示す側面図である。
【図７】第１の実施の形態による表裏反転部において裏向き紙幣の保持を解除する様子を示す側面図である。
【図８】第１の実施の形態による表裏反転部における紙幣の順序を示すタイムチャートである。
【図９】第２の実施の形態による表裏反転部の構成を示す側面図である。
【図１０】第２の実施の形態による表裏反転部において表向き紙幣を搬送する様子を示す側面図である。
【図１１】第２の実施の形態による表裏反転部において裏向き紙幣を搬送する様子を示す側面図である。
【図１２】第２の実施の形態による表裏反転部において裏向き紙幣を保持する様子を示す側面図である。
【図１３】第２の実施の形態による表裏反転部において裏向き紙幣の保持を解除する様子を示す側面図である。
【図１４】従来の表裏反転部の構成を示す側面図である。
【発明を実施するための形態】
【００１６】
以下、発明を実施するための形態（以下実施の形態とする）について、図面を用いて詳細に説明する。
【００１７】
＜１．第１の実施の形態＞
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００１８】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１９】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２０】
カード入出口４は、キャッシュカード等の各種カードが挿入又は排出される部分である。カード入出口４の奥側には、各種カードに磁気記録された口座番号等の読み取りを行うカード処理部（図示せず）が設けられている。
【００２１】
入出金口５は、顧客が入金する紙幣が投入されると共に、顧客へ出金する紙幣が排出される部分である。また入出金口５は、シャッタを駆動することにより開放又は閉塞するようになされている。因みに紙幣は、例えば長方形の紙で構成されている。
【００２２】
操作表示部６は、取引に際して操作画面を表示するＬＣＤ（Liquid Crystal Display）と、取引の種類の選択、暗証番号や取引金額等を入力するタッチパネルとが一体化されている。
【００２３】
テンキー７は、「０」〜「９」の数字等の入力を受け付ける物理キーであり、暗証番号や取引金額等の入力操作時に用いられるようになされている。
【００２４】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２５】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２６】
因みに筐体２は、前面を覆う前扉２Ａ及び後面を覆う後扉（図示せず）がそれぞれ開閉可能に構成されている。すなわち筐体２は、顧客との間で現金に関する取引を行う取引動作時には、前扉２Ａ等を閉塞することにより、内部に保有している紙幣や硬貨等を保護する。一方筐体２は、金融機関の職員や作業者等が保守作業や紙幣の補充・回収作業等を行う作業時には、必要に応じて前扉２Ａ等を開放することにより、内部の各部に対する作業を容易に行わせ得るようになされている。
【００２７】
筐体２内には、現金自動預払機１全体を統括制御する主制御部９や、紙幣に関する種々の処理を行う紙幣入出金機１０等が設けられている。
【００２８】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００２９】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３０】
［１−２．紙幣入出金機の構成］
紙幣入出金機１０は、図２に模式的な側面図を示すように、紙幣入出金機筐体１１の内部に紙幣の入金処理や出金処理に関する種々の機構が設けられている。紙幣入出金機１０の各部分は、紙幣制御部１２により制御されるようになされている。
【００３１】
紙幣制御部１２は、主制御部９と同様、図示しないＣＰＵを中心に構成されており、図示しないＲＯＭやフラッシュメモリ等から所定のプログラムを読み出して実行し、また主制御部９などの他の制御部と連携することにより、紙幣の入金処理や出金処理等、紙幣に関する種々の処理を制御するようになされている。
【００３２】
また紙幣制御部１２は、内部にＲＡＭ及びフラッシュメモリ等でなる記憶部（図示せず）を有しており、この記憶部に種々の情報を記憶させるようになされている。
【００３３】
例えば顧客が現金自動預払機１との間で紙幣を入金する入金取引を行う場合、紙幣制御部１２は、主制御部９等と連携しながら、操作表示部６を介して所定の操作入力を受け付けた後、入出金口５のシャッタを開いて入出金部１３内へ紙幣を投入させる。
【００３４】
入出金部１３は、紙幣が投入されると、入出金口５のシャッタを閉じてから紙幣を１枚ずつ取り出し、搬送部１４へ受け渡す。搬送部１４は、紙幣を短辺方向に沿って進行させ、鑑別部１５へ搬送する。
【００３５】
鑑別部１５は、その内部で紙幣を搬送しながら当該紙幣の金種、真偽及び損傷の程度並びに表裏方向等を鑑別し、その鑑別結果を紙幣制御部１２へ通知する。これに応じて紙幣制御部１２は、取得した鑑別結果に基づいて当該紙幣の搬送先を決定する。
【００３６】
このとき搬送部１４は、鑑別部１５において正常と鑑別された紙幣（いわゆる正券）を一時保留部１６へ搬送する等して一時的に保留させる一方、取引すべきでないと鑑別された紙幣（いわゆる損券や偽券等）を入出金部１３へ搬送して顧客に返却する。
【００３７】
その後紙幣制御部１２は、操作表示部６（図１）を介して顧客に入金金額を確定させ、一時保留部１６に保留している紙幣を鑑別部１５へ搬送させてその金種、損傷の程度及び表裏方向等を鑑別させ、その鑑別結果を取得する。
【００３８】
そして紙幣制御部１２は、紙幣の損傷の程度が大きければ、これを再利用すべきでない紙幣としてリジェクト庫１７へ搬送して収納させ、損傷の程度が小さければ、これを再利用すべき紙幣として搬送部１４を介して表裏反転部４０へ搬送させる。
【００３９】
紙幣制御部１２は、鑑別部１５から取得した紙幣の表裏方向に基づき、裏向きの紙幣を表裏反転部４０により表向きに反転させ、紙幣収納ユニット１８へ搬送させる。
【００４０】
紙幣収納ユニット１８には、複数の収納カセット３５が設けられている。この収納カセット３５は、それぞれ対応する金種が予め定められている。このため紙幣収納ユニット１８は、搬送されてきた紙幣をその金種に応じた収納カセット３５に振り分けて収納させる。
【００４１】
また、例えば顧客が現金自動預払機１との間で紙幣を出金する出金取引を行う場合、紙幣制御部１２は、主制御部９等と連携しながら、操作表示部６を介して所定の操作入力を受け付けた後、出金すべき金額に応じた紙幣を紙幣収納ユニット１８の収納カセット３５から繰り出させる。
【００４２】
続いて紙幣制御部１２は、この紙幣を搬送部１４により鑑別部１５へ搬送して鑑別させた上で入出金部１３へ搬送し、入出金口５のシャッタを開いてこの紙幣を顧客に取り出させる。
【００４３】
ここで紙幣制御部１２は、入出金口５のシャッタを開いてから所定時間が経過してシャッタを閉じた後にも入出金部１３に紙幣が残っていた場合、顧客が当該紙幣を取り忘れたものと見なし、この紙幣を搬送部１４により取忘れ保管庫２０へ搬送して、他の紙幣と区別できるように保管する。
【００４４】
ところで、紙幣入出金機筐体１１の後側に設けられた補充回収庫２１は、内部に多数の紙幣を収納できるよう構成されると共に、その真上に設置された補充入出金部２２と連結されている。
【００４５】
また補充回収庫２１は、筐体２（図１）の背面に設けられた後扉２Ｂが開放されたときに、職員等の作業により、その内部に紙幣を収納し、またその内部から紙幣を取り出し得るようになされている。
【００４６】
紙幣制御部１２は、補充回収庫２１内に紙幣が収納された状態で所定の補充操作指示を受け付けると、補充回収庫２１から紙幣収納ユニット１８の収納カセット３５への紙幣の補充処理を行う。
【００４７】
このとき紙幣制御部１２は、補充入出金部２２により補充回収庫２１内から紙幣を順次繰り出させ、搬送部１４を介して紙幣収納ユニット１８へ搬送させて、指示された収納カセット３５内に紙幣を順次集積させる。
【００４８】
また紙幣制御部１２は、紙幣収納ユニット１８の収納カセット３５に紙幣が収納された状態で補充回収庫２１への回収操作指示を受け付けると、収納カセット３５から補充回収庫２１内への紙幣の回収処理を行う。
【００４９】
このとき紙幣制御部１２は、当該収納カセット３５から紙幣を順次繰り出させ、紙幣収納ユニット１８から搬送部１４を介して補充入出金部２２へ搬送させ、当該補充入出金部２２により補充回収庫２１内に順次集積させる。
【００５０】
因みに紙幣制御部１２は、各種取引処理等の合間に補充処理及び回収処理を適宜実行することにより、収納カセット３５における紙幣の不足や飽和を未然に防止して、顧客に対する入金取引や出金取引の提供を極力継続させるようになされている。
【００５１】
［１−３．表裏反転部の構成］
図３に示すように、表裏反転部４０には、外部から紙幣を取り込む搬入搬送路４２と、当該搬入搬送路４２から分岐し、表向き紙幣を搬送する非反転搬送路４４と、裏向き紙幣を反転させ搬送する反転搬送路４６と、当該非反転搬送路４４と反転搬送路４６とが合流し外部へ紙幣を搬出する搬出搬送路４８とが形成されている。
【００５２】
搬入搬送路４２は、搬送部１４から搬送された紙幣を受け入れ、搬送分岐部分５０まで搬送する。
【００５３】
搬入搬送路４２は、搬送分岐部分５０において、反転搬送路４６と非反転搬送路４４とに分岐する。反転搬送路４６と非反転搬送路４４とは、搬送合流部分５２において合流する。
【００５４】
搬入搬送路４２には、当該搬入搬送路４２を通過する紙幣を検出する紙幣検出部５４が設けられている。
【００５５】
搬送分岐部分５０には、図示しないソレノイド等により回動可能に構成され、反転搬送路４６又は非反転搬送路４４へ紙幣の搬送を振り分ける搬送切替部５６が設けられている。
【００５６】
搬送切替部５６は、非反転搬送路４４へ表向き紙幣を振り分ける非反転搬送路振分位置Ｐ１か、反転搬送路４６へ裏向き紙幣を振り分ける反転搬送路振分位置Ｐ２の何れかの状態を取る。
【００５７】
搬送切替部５６は、紙幣検出部５４において紙幣の進行方向先端が検出された時点から所定時間経過後であって、当該紙幣の先端が搬送分岐部分５０に到達する前の時点において、非反転搬送路振分位置Ｐ１か反転搬送路振分位置Ｐ２の何れかに回動する。
【００５８】
反転搬送路４６は、裏向き紙幣を搬送分岐部分５０から反転プール部５８へ搬送する反転前搬送路６０と、反転プール部５８と、裏向き紙幣を反転プール部５８から搬送合流部分５２へ搬送する反転後搬送路６２とにより構成される。
【００５９】
反転プール部５８は、内部に空間を有し、反転前搬送路６０から進入した裏向き紙幣の進行方向を転換させて反転後搬送路６２へ導く。
【００６０】
反転プール部５８と反転後搬送路６２との間には、搬送される裏向き紙幣の一側面側において、円筒状でなり図示しない駆動モータにより図中反時計方向に回転可能に構成された取込ローラ６４と、当該取込ローラ６４と同軸上に弾性部材で形成された羽根車６６とが設けられている。
【００６１】
取込ローラ６４の下側には、搬送される裏向き紙幣の他側面側において、当該取込ローラ６４と対向する箇所に円筒状でなる搬送ローラ６８が設けられている。搬送ローラ６８は、図示しない付勢手段により、取込ローラ６４に向かって押し付けられている。
【００６２】
このため搬送ローラ６８は、当該搬送ローラ６８の外周面が取込ローラ６４の外周面に押し付けられることにより、当該取込ローラ６４の回転に連れ回されて図中時計回りに回転する。
【００６３】
羽根車６６は、反転プール部５８に突入した裏向き紙幣の進行方向の後端部に接触することにより、当該裏向き紙幣を反転後搬送路６２に向かって移動させ進行方向を転換させる。
【００６４】
さらに搬送ローラ６８と取込ローラ６４とは、進行方向が転換された裏向き紙幣の先端部を挟持して反転後搬送路６２へ引き込む。
【００６５】
反転後搬送路６２には、当該反転後搬送路６２内に露出可能に構成され、裏向き紙幣の搬送を遮断する遮断板７０が設けられている。
【００６６】
遮断板７０は、アクチュエータ等でなる紙幣保持切替部７２により、反転後搬送路６２に露出する方向である遮断板露出方向Ｄ１と、反転後搬送路６２から退避する方向である遮断板退避方向Ｄ２とに進退自在に構成されている。
【００６７】
以下では、取込ローラ６４、搬送ローラ６８、遮断板７０及び紙幣保持切替部７２をまとめて紙幣搬送制御部７４とも呼ぶ。
【００６８】
紙幣保持切替部７２は、搬送ローラ６８にも接続されており、当該搬送ローラ６８を取込ローラ６４から離隔する方向であるローラ駆動断絶方向Ｄ３に移動させると共に、当該搬送ローラ６８を取込ローラ６４に近接する方向であるローラ駆動伝達方向Ｄ４に移動させる。
【００６９】
裏向き紙幣を反転後搬送路６２において一旦停止させて保留する状態である紙幣保留状態において、紙幣保持切替部７２は、遮断板７０を遮断板露出方向Ｄ１に伸ばすことにより、方向転換された裏向き紙幣の先端を反転後搬送路６２内で遮断板７０に当接させ停止させる。
【００７０】
それと同時に紙幣保持切替部７２は、搬送ローラ６８をローラ駆動断絶方向Ｄ３に移動させることにより、裏向き紙幣を搬送する力を切断し、遮断板７０に当接し停止している裏向き紙幣に対して力を加えないようにする。
【００７１】
このとき、取込ローラ６４は依然として回転し続けているため、羽根車６６と裏向き紙幣とは接触し続けることになる。
【００７２】
弾性部材でなる羽根車６６が裏向き紙幣に接触し反転後搬送路６２に引き込む力は、取込ローラ６４と搬送ローラ６８とが裏向き紙幣を挟持し搬送する力よりも遙かに弱いため、羽根車６６のみが接触していた場合、裏向き紙幣に大きな力は加わらない。
【００７３】
このため、羽根車６６に接触され続けていたとしても、裏向き紙幣は変形することなく、反転後搬送路６２内において遮断板７０により保持される。
【００７４】
なお紙幣保留状態においては、裏向き紙幣は既に表裏反転されているため実際には表向きとなっているが、説明の都合上、反転搬送路４６へ搬送された紙幣であれば、既に表裏反転された状態であったとしても裏向き紙幣と呼ぶ。
【００７５】
一方、裏向き紙幣を反転後搬送路６２において一旦停止させずに通過させる状態である紙幣通過状態において、紙幣搬送制御部７４は、保留した裏向き紙幣を解放して反転後搬送路６２から搬送合流部分５２に向かって送り出す。
【００７６】
具体的に紙幣保持切替部７２は、遮断板７０を遮断板退避方向Ｄ２に退避させると共に、搬送ローラ６８をローラ駆動伝達方向Ｄ４に移動させて取込ローラ６４に接触させることにより、紙幣に対し取込ローラ６４の回転力を伝達させる。
【００７７】
反転後搬送路６２は、方向転換された裏向き紙幣を搬送合流部分５２へ搬送する。
【００７８】
搬出搬送路４８は、方向転換された裏向き紙幣を搬送合流部分５２から紙幣カセット３５へ向かって搬出する。
【００７９】
このように紙幣搬送制御部７４は、裏向き紙幣を反転後搬送路６２において一旦停止させて保持する紙幣保留状態と、裏向き紙幣を保持せず通過させる紙幣通過状態とを切り替えることにより、反転後搬送路６２から裏向き紙幣を送り出すタイミングを調整することができる。
【００８０】
ここで、搬送分岐部分５０から搬送合流部分５２までにおける、非反転搬送路４４の長さである非反転搬送路長は、反転搬送路４６の長さである反転搬送路長よりも短く構成されている。
【００８１】
このため、表向き紙幣が表裏反転部４０に搬入されてから非反転搬送路４４を通過し搬出されるまでにかかる時間である表向き紙幣所要時間ＮＴｕは、裏向き紙幣が表裏反転部４０に搬入されてから反転搬送路４６を通過し搬出されるまでにかかる時間である裏向き紙幣所要時間ＮＴｄよりも短くなる。
【００８２】
［１−４．表裏反転部の制御］
［１−４−１．表向き紙幣を取り込んだ場合］
かかる構成において、図４に示すように表向き紙幣ＢＬｕを取り込んだ場合、表裏反転部４０は搬送切替部５６を非反転搬送路振分位置Ｐ１に切り替え、表向き紙幣ＢＬｕに非反転搬送路４４を通過させ、搬送合流部分５２を介して搬出搬送路４８へ搬送する。
【００８３】
［１−４−２．裏向き紙幣を取り込んだ場合］
一方図５に示すように裏向き紙幣ＢＬｄを取り込んだ場合、表裏反転部４０は搬送切替部５６を反転搬送路振分位置Ｐ２に切り替え、反転前搬送路６０を介して裏向き紙幣ＢＬｄを反転プール部５８へ進入させる。続いて表裏反転部４０は、表裏方向が反転された裏向き紙幣ＢＬｄを、反転後搬送路６２を通過させ搬送合流部分５２を介して搬出搬送路４８へ搬送する。
【００８４】
［１−４−３．裏向き紙幣の次に表向き紙幣を取り込んだ場合］
また一方図６に示すように裏向き紙幣ＢＬｄ１の後に表向き紙幣ＢＬｕ１を取り込んだ場合、表裏反転部４０は、まず搬送切替部５６を反転搬送路振分位置Ｐ２に切り替え、先行する裏向き紙幣ＢＬｄ１を反転前搬送路６０を介して反転プール部５８へ進入させる。
【００８５】
続いて表裏反転部４０は、紙幣保持切替部７２を紙幣保留状態とし、方向転換された裏向き紙幣ＢＬｄ１を、反転後搬送路６２内に停止させて保持する。
【００８６】
具体的に紙幣保持切替部７２は、紙幣検出部５４において裏向き紙幣ＢＬｄ１の先端が検出された時点から所定時間経過後であって、当該裏向き紙幣ＢＬｄ１の先端が遮断板７０に到達する前の時点において当該遮断板７０を遮断板露出方向Ｄ１に伸ばすことにより、反転後搬送路６２を遮断する。
【００８７】
その後表裏反転部４０は、搬送切替部５６を非反転搬送路振分位置Ｐ１に切り替え、後続の表向き紙幣ＢＬｕ１に非反転搬送路４４を通過させ、搬送合流部分５２を介して搬出搬送路４８へ搬送する。
【００８８】
このように表裏反転部４０は、裏向き紙幣ＢＬｄ１の後に表向き紙幣ＢＬｕ１を取り込んだ場合、紙幣保持状態とし、表向き紙幣ＢＬｕに非反転搬送路４４を通過させる。
【００８９】
後続の表向き紙幣ＢＬｕ１に続いて、さらに表向き紙幣ＢＬｕ２（図示せず）を取り込んだ場合、表裏反転部４０は、紙幣保持切替部７２における紙幣保留状態を維持し、表向き紙幣ＢＬｕ２に非反転搬送路４４を通過させ、搬送合流部分５２を介して搬出搬送路４８へ搬送する。
【００９０】
このように表裏反転部４０は、裏向き紙幣ＢＬｄ１の後に表向き紙幣ＢＬｕ１を取り込むことにより紙幣保持切替部７２を紙幣保持状態とした後に、さらに表向き紙幣ＢＬｕ２を取り込んだ場合、当該表向き紙幣ＢＬｕ２に非反転搬送路４４を通過させる。
【００９１】
その後図７に示すように裏向き紙幣ＢＬｄ２を取り込んだ場合、表裏反転部４０は、搬送切替部５６を反転搬送路振分位置Ｐ２に切り替え、反転前搬送路６０を介して裏向き紙幣ＢＬｄ２を反転プール部５８へ進入させる。
【００９２】
これと同時に表裏反転部４０は、紙幣保持切替部７２を紙幣通過状態とし、保持していた裏向き紙幣ＢＬｄ１に反転後搬送路６２を通過させ、搬送合流部分５２を介して搬出搬送路４８へ搬送する。
【００９３】
このとき表裏反転部４０は、仮に裏向き紙幣ＢＬｄ２が非反転搬送路４４を通過し搬送合流部分５２を通過した場合のタイミングで、裏向き紙幣ＢＬｄ１が搬送合流部分５２を通過するように、当該裏向き紙幣ＢＬｄ１を搬出搬送路４８へ搬送する。
【００９４】
このため表裏反転部４０は、裏向き紙幣ＢＬｄ２が、あたかも非反転搬送路４４を通過したようなタイミングで、保留していた裏向き紙幣ＢＬｄ１を搬送することができる。
【００９５】
これにより表裏反転部４０は、裏向き紙幣所要時間ＮＴｄよりも短い表向き紙幣所要時間ＮＴｕとなるように裏向き紙幣ＢＬｄ１を搬送することができるため、裏向き紙幣ＢＬｄ１を反転後搬送路６２において無駄に保留することなく、迅速に搬送することができる。
【００９６】
このように表裏反転部４０は、裏向き紙幣ＢＬｄ１の後に表向き紙幣ＢＬｕを取り込んだ場合、当該裏向き紙幣ＢＬｄ１を反転後搬送路６２において保持している間に、後続の表向き紙幣ＢＬｕに非反転搬送路４４を通過させ、その後裏向き紙幣ＢＬｄ２を再び取り込んだ際に、保持していた裏向き紙幣ＢＬｄ１を解放し搬出搬送路４８へ搬送する。
【００９７】
その後裏向き紙幣ＢＬｄ２の後続にさらに裏向き紙幣ＢＬｄ３（図示せず）が存在する場合、表裏反転部４０は、方向転換された裏向き紙幣ＢＬｄ２に反転後搬送路６２を通過させ、搬送合流部分５２を介して搬出搬送路４８へ搬送する。
【００９８】
これと共に表裏反転部４０は、搬送切替部５６の反転搬送路振分位置Ｐ２を維持することにより、反転前搬送路６０を介して後続の裏向き紙幣ＢＬｄ３を反転プール部５８へ進入させる。
【００９９】
一方、裏向き紙幣ＢＬｄ２の後続に紙幣が存在しない場合、表裏反転部４０は、搬送すべき表向き紙幣ＢＬｕを全て搬送した後に、紙幣保持切替部７２を紙幣保留状態から紙幣通過状態に切り替え、方向転換された裏向き紙幣ＢＬｄ２を、最終紙幣として反転後搬送路６２を通過させ搬送合流部分５２を介して搬出搬送路４８へ搬送する。
【０１００】
［１−５．紙幣の搬送順序］
以上のような表裏反転部４０における処理により、表裏反転部４０に搬入される前と搬出された後とで紙幣の順序が変化する様子を以下に述べる。
【０１０１】
まず、第１の条件として図８（ａ）に示すように、１枚目が裏向き紙幣ＢＬｄ１、２枚目が表向き紙幣ＢＬｕ１、３枚目が裏向き紙幣ＢＬｄ２と鑑別された３枚の紙幣ＢＬが順次表裏反転部４０に搬入される場合について述べる。
【０１０２】
この場合、裏向き紙幣ＢＬｄ１は、反転後搬送路６２において保持されるため、タイミングＴ１において表裏反転部４０に搬入された後に反転搬送路４６を通過して表裏反転部４０から搬出される本来のタイミングＴ１１においては、表裏反転された裏向き紙幣ＢＬｄ１は搬出されない。
【０１０３】
続いて表向き紙幣ＢＬｕ１は、非反転搬送路４４を通過してそのまま表裏反転部４０から搬出されるため、表裏反転部４０に搬入されたタイミングＴ２から表向き紙幣所要時間ＮＴｕ経過後であるタイミングＴ１２において表裏反転部４０から搬出される。
【０１０４】
このため表向き紙幣ＢＬｕ１は、表裏反転部４０内部において裏向き紙幣ＢＬｄ１を追い抜き、当該表裏反転部４０から最初に搬出される。
【０１０５】
続いて裏向き紙幣ＢＬｄ２がタイミングＴ３において表裏反転部４０に搬入されると、上述したように、当該裏向き紙幣ＢＬｄ２が仮に非反転搬送路４４を搬送された場合と同じタイミングである、表向き紙幣所要時間ＮＴｕ経過後であるタイミングＴ１３において、反転後搬送路６２に保持されていた裏向き紙幣ＢＬｄ１が搬出される。
【０１０６】
このため裏向き紙幣ＢＬｄ１は、表裏反転部４０内部において表向き紙幣ＢＬｕ１に追い抜かれつつ裏向き紙幣ＢＬｄ２よりも先行することにより、２番目に表裏反転部４０から搬出される。
【０１０７】
裏向き紙幣ＢＬｄ２は、後続する紙幣ＢＬが存在しないため、紙幣保持切替部７２により紙幣通過状態にある反転搬送路４６により表裏反転され、タイミングＴ１４において表裏反転部４０から搬出される。
【０１０８】
次に、第２の条件として図８（ｂ）に示すように、１枚目が裏向き紙幣ＢＬｄ１、２枚目が裏向き紙幣ＢＬｄ２、３枚目が表向き紙幣ＢＬｕ１と鑑別された３枚の紙幣ＢＬが順次表裏反転部４０に搬入される場合について述べる。
【０１０９】
この場合、裏向き紙幣ＢＬｄ１は、反転後搬送路６２において保持されるため、タイミングＴ１において表裏反転部４０に搬入された後に反転搬送路４６を通過して表裏反転部４０から搬出される本来のタイミングＴ１１においては、表裏反転された裏向き紙幣ＢＬｄ１は搬出されない。
【０１１０】
続いて裏向き紙幣ＢＬｄ２がタイミングＴ２において表裏反転部４０に搬入されると、上述したように、当該裏向き紙幣ＢＬｄ２が仮に非反転搬送路４４を搬送された場合と同じタイミングである、表向き紙幣所要時間ＮＴｕ経過後であるタイミングＴ１２において、反転後搬送路６２に保持されていた裏向き紙幣ＢＬｄ１が表裏反転部４０から最初に搬出される。このとき、裏向き紙幣ＢＬｄ２は反転搬送路４６において保持される。
【０１１１】
続いて表向き紙幣ＢＬｕ１は、非反転搬送路４４を通過してそのまま表裏反転部４０から搬出されるため、当該表裏反転部４０に搬入されたタイミングＴ３から表向き紙幣所要時間ＮＴｕ経過後であるタイミングＴ１３において表裏反転部４０から搬出される。
【０１１２】
このため表向き紙幣ＢＬｕ１は、表裏反転部４０内部において裏向き紙幣ＢＬｄ２を追い抜き、表裏反転部４０から２番目に搬出される。
【０１１３】
裏向き紙幣ＢＬｄ２は、後続する紙幣ＢＬが存在しないため、紙幣保持切替部７２が紙幣保留状態から紙幣通過状態に切り替わることによりタイミングＴ１４において表裏反転部４０から搬出される。
【０１１４】
このように表裏反転部４０は、裏向き紙幣ＢＬｄの後続に表向き紙幣ＢＬｕが存在する場合、当該表向き紙幣ＢＬｕが裏向き紙幣ＢＬｄを追い越すように順番を変更し搬出する。
【０１１５】
［１−６．動作及び効果］
以上の構成において、紙幣搬送制御部７４は、紙幣保留状態において、遮断板７０により反転後搬送路６２を遮断すると共に搬送ローラ６８を取込ローラ６４から離隔させることにより、反転搬送路４６を搬送される裏向き紙幣ＢＬｄを保留する一方、紙幣通過状態において、遮断板７０を反転後搬送路６２から退避させると共に搬送ローラ６８を取込ローラ６４に接触させることにより、裏向き紙幣ＢＬｄに反転搬送路４６を通過させるようにした。
【０１１６】
また表裏反転部４０は、裏向き紙幣ＢＬｄ１の次に表向き紙幣ＢＬｕを取り込んだ場合、その後さらに裏向き紙幣ＢＬｄ２を取り込むまでは、当該裏向き紙幣ＢＬｄ１を保留し、表向き紙幣ＢＬｕを先に搬送するようにした。
【０１１７】
このため、表裏反転部４０は、非反転搬送路長と反転搬送路長とを一致させることなく、紙幣の表裏反転を行うことができる。
【０１１８】
これにより表裏反転部４０は、従来の表裏反転部２４０（図１４）のように非反転搬送路２４４を反転搬送路２４６の周囲で意図的に迂回させて搬送路長を長くする必要がないため、非反転搬送路長を反転搬送路長よりも短縮することができる。
【０１１９】
また表裏反転部４０は、裏向き紙幣ＢＬｄを追い越すように表向き紙幣ＢＬｕを次々に通過させるため、例えば未流通の紙幣である官封券のように、表向き紙幣が連続して搬入された場合、それらの複数の紙幣を表裏反転部２４０よりも迅速に通過させることができる。
【０１２０】
また表裏反転部４０は、紙幣保留状態においても、取込ローラ６４、羽根車６６及び搬送ローラ６８の回転を止めることなく、回転させ続けている。
【０１２１】
これにより表裏反転部４０は、紙幣保持切替部７２において紙幣通過状態と紙幣保留状態とを切り替える度に取込ローラ６４、羽根車６６及び搬送ローラ６８の停止と回転とを切り替える必要がないため、シンプルな制御により紙幣の保持と通過とを切り替えることができる。
【０１２２】
以上の構成によれば、現金自動預払機１の表裏反転部４０は、紙幣ＢＬを取り入れ搬送する搬入搬送路４２と、搬入搬送路４２から分岐し裏向き紙幣ＢＬｄの向きを反転し搬送する反転搬送路４６と、搬入搬送路４２から分岐し表向き紙幣ＢＬｕを搬送する非反転搬送路４４とを有し、反転搬送路４６を搬送される裏向き紙幣ＢＬｄを媒体保留状態において保留し、媒体通過状態において進行させるようにした。
【０１２３】
これにより現金自動預払機１は、表裏反転部４０において非反転搬送路長と反転搬送路長とを一致させることなく紙幣ＢＬの表裏反転を行うことができるため、表裏反転部４０を小型化できる。
【０１２４】
＜２．第２の実施の形態＞
［２−１．表裏反転部の構成］
図１に示す第２の実施の形態による現金自動預払機１０１は、第１の実施の形態による現金自動預払機１と比べて、図２に示す紙幣入出金機１１０における表裏反転部１４０が、紙幣入出金機１０における表裏反転部４０と異なっているものの、それ以外は同様に構成されている。
【０１２５】
また、第２の実施の形態による表裏反転部１４０は、図３との対応部分に同一符号を付した図９に示すように、紙幣保持切替部７２及び遮断板７０が省略されている。
【０１２６】
また表裏反転部１４０は、図示しない駆動モータを制御することにより、取込ローラ１６４の回転及び停止を切り替えるようになされている。
【０１２７】
以下では、取込ローラ１６４及び搬送ローラ１６８をまとめて紙幣搬送制御部１７４とも呼ぶ。
【０１２８】
紙幣保留状態において、表裏反転部１４０は、取込ローラ１６４及び羽根車６６の回転を停止させる。このため、取込ローラ１６４に連れ回される搬送ローラ１６８の回転も停止する。
【０１２９】
これにより取込ローラ１６４及び搬送ローラ１６８は、反転後搬送路６２内において裏向き紙幣を停止させる。
【０１３０】
このとき取込ローラ１６４及び搬送ローラ１６８は、反転プール５８において方向転換された紙幣の進行方向先端部分を噛み込んだ状態において回転を停止する。
【０１３１】
一方、紙幣保留状態から紙幣通過状態に変化した場合に、保持した裏向き紙幣を解放して反転後搬送路６２から搬送合流部分５２に向かって送り出す際、表裏反転部１４０は、停止させていた取込ローラ１６４を回転させることにより、取込ローラ１６４と搬送ローラ１６８とにより噛み込んでいた紙幣を搬送する。
【０１３２】
このように表裏反転部１４０は、紙幣保留状態においては、取込ローラ１６４の回転を停止することにより、取込ローラ１６４と搬送ローラ１６８とで裏向き紙幣の一部を挟持したまま当該裏向き紙幣ＢＬｄを保留する一方、紙幣通過状態においては、取込ローラ１６４を回転させることにより、取込ローラ１６４と搬送ローラ１６８とで裏向き紙幣を挟持し搬送合流部分５２に向かって搬送する。
【０１３３】
［２−２．表裏反転部の制御］
［２−２−１．表向き紙幣を取り込んだ場合］
かかる構成において、図１０に示すように表向き紙幣ＢＬｕを取り込んだ場合、表裏反転部１４０は搬送切替部５６を非反転搬送路振分位置Ｐ１に切り替え、表向き紙幣ＢＬｕを非反転搬送路４４を通過させ、搬送合流部分５２を介して搬出搬送路４８へ搬送する。
【０１３４】
［２−２−２．裏向き紙幣を取り込んだ場合］
一方図１１に示すように裏向き紙幣ＢＬｄを取り込んだ場合、表裏反転部１４０は搬送切替部５６を反転搬送路振分位置Ｐ２に切り替え、裏向き紙幣ＢＬｄを反転前搬送路６０を介して反転プール部５８へ進入させる。続いて表裏反転部１４０は、取込ローラ１６４を回転させることにより、表裏方向が反転された裏向き紙幣ＢＬｄを、反転後搬送路６２を通過させ搬送合流部分５２を介して搬出搬送路４８へ搬送する。
【０１３５】
［２−２−３．裏向き紙幣の次に表向き紙幣を取り込んだ場合］
また一方図１２に示すように裏向き紙幣ＢＬｄ１の後に表向き紙幣ＢＬｕ１を取り込んだ場合、表裏反転部１４０は、まず搬送切替部５６を反転搬送路振分位置Ｐ２に切り替え、先行する裏向き紙幣ＢＬｄ１を反転前搬送路６０を介して反転プール部５８へ進入させる。
【０１３６】
続いて表裏反転部１４０は、取込ローラ１６４を停止させることにより紙幣保留状態とし、方向転換された裏向き紙幣ＢＬｄ１を、反転後搬送路６２内に停止させて保持する。
【０１３７】
具体的に表裏反転部１４０は、紙幣検出部５４において裏向き紙幣ＢＬｄ１の先端が検出された時点から所定時間経過後であって、当該裏向き紙幣ＢＬｄ１の先端が取込ローラ１６４と搬送ローラ１６８との接触点に到達した時点において取込ローラ１６４の回転を停止する。
【０１３８】
これにより取込ローラ１６４と搬送ローラ１６８とは、方向転換された裏向き紙幣ＢＬｄ１の先頭部分を噛み込んだ状態としたまま回転を停止し、裏向き紙幣ＢＬｄ１の移動を停止させる。
【０１３９】
その後表裏反転部１４０は、搬送切替部５６を非反転搬送路振分位置Ｐ１に切り替え、後続の表向き紙幣ＢＬｕ１を非反転搬送路４４を通過させ、搬送合流部分５２を介して搬出搬送路４８へ搬送する。
【０１４０】
その後図１３に示すように裏向き紙幣ＢＬｄ２を取り込んだ場合、表裏反転部１４０は、搬送切替部５６を反転搬送路振分位置Ｐ２に切り替え、反転前搬送路６０を介して裏向き紙幣ＢＬｄ２を反転プール部５８へ進入させる。
【０１４１】
これと同時に表裏反転部１４０は、取込ローラ１６４を回転させることにより紙幣通過状態とし、方向転換された裏向き紙幣ＢＬｄ１に反転後搬送路６２を通過させ、搬送合流部分５２を介して搬出搬送路４８へ搬送する。
【０１４２】
その後裏向き紙幣ＢＬｄ２の後続にさらに裏向き紙幣ＢＬｄ３（図示せず）が存在する場合、表裏反転部１４０は、方向転換された裏向き紙幣ＢＬｄ２に反転後搬送路６２を通過させ、搬送合流部分５２を介して搬出搬送路４８へ搬送する。
【０１４３】
これと共に表裏反転部１４０は、搬送切替部５６の反転搬送路振分位置Ｐ２を維持することにより、反転前搬送路６０を介して後続の裏向き紙幣ＢＬｄ３を反転プール部５８へ進入させる。
【０１４４】
一方、裏向き紙幣ＢＬｄ２の後続に紙幣が存在しない場合、表裏反転部１４０は、搬送すべき表向き紙幣ＢＬｕを全て搬送した後に、取込ローラ１６４を回転させることにより紙幣保留状態から紙幣通過状態に切り替え、方向転換された裏向き紙幣ＢＬｄ２を、最終紙幣として反転後搬送路６２を通過させ搬送合流部分５２を介して搬出搬送路４８へ搬送する。
【０１４５】
その他表裏反転部１４０は、上述した第１の実施の形態による表裏反転部４０と同様の処理を行い、表裏反転部１４０に搬入される紙幣の順序を並べ替え搬出する。
【０１４６】
［２−３．動作及び効果］
以上の構成において、紙幣搬送制御部１７４は、紙幣保留状態において、取込ローラ１６４を停止させることにより、反転搬送路４６を搬送される裏向き紙幣ＢＬｄを保留する一方、紙幣通過状態において、取込ローラ１６４を回転させることにより、裏向き紙幣ＢＬｄに反転搬送路４６を通過させるようにした。
【０１４７】
これにより表裏反転部１４０は、表裏反転部４０（図３）に対し紙幣保持切替部７２及び遮断板７０を省略することができるため、構成を簡易にし、コストを低減することができる。
【０１４８】
また表裏反転部１４０は、紙幣保留状態において、裏向き紙幣ＢＬｄの一部を噛み込んだ状態で取込ローラ１６４を停止するようにした。
【０１４９】
これにより表裏反転部１４０は、紙幣保留状態から紙幣通過状態に切り替える際、裏向き紙幣ＢＬｄを迅速に送り出すことができるため、紙幣を搬出するタイミングを厳密に制御することができる。
【０１５０】
その他第２の実施の形態による表裏反転部１４０は、第１の実施の形態による表裏反転部４０とほぼ同様の作用効果を奏し得る。
【０１５１】
以上の構成によれば、現金自動預払機１０１の表裏反転部１４０は、紙幣ＢＬを取り入れ搬送する搬入搬送路４２と、搬入搬送路４２から分岐し裏向き紙幣ＢＬｄの向きを反転し搬送する反転搬送路４６と、搬入搬送路４２から分岐し表向き紙幣ＢＬｕを搬送する非反転搬送路４４とを有し、反転搬送路４６を搬送される裏向き紙幣ＢＬｄを媒体保留状態において保留し、媒体通過状態において進行させるようにした。
【０１５２】
これにより現金自動預払機１０１は、表裏反転部１４０において非反転搬送路長と反転搬送路長とを一致させることなく紙幣ＢＬの表裏反転を行うことができるため、表裏反転部１４０を小型化できる。
【０１５３】
＜３．他の実施の形態＞
なお上述した第１の実施の形態においては、紙幣保留状態において取込ローラ６４を回転させ続けたが、本発明はこれに限らず、紙幣保留状態において取込ローラ６４の回転を停止しても良い。
【０１５４】
また非反転搬送路４４と反転搬送路４６とは、上述した実施の形態において図示したものに限らず、要は表向き紙幣所要時間ＮＴｕの方が裏向き紙幣所要時間ＮＴｄよりも短い構成であれば、種々の搬送路の構成を適用して良い。
【０１５５】
さらに上述した第１の実施の形態による表裏反転部４０に対し、第２の実施の形態による表裏反転部１４０における取込ローラ１６４の回転制御を組み合わせることにより、紙幣保留状態と紙幣通過状態とを切り替えるようにしても良い。
【０１５６】
例えば、表裏反転部４０における紙幣保留状態において、遮断板７０を反転後搬送路６２内に露出させると共に、搬送ローラ６８をローラ駆動断絶方向Ｄ３に移動させずに、取込ローラ１６４の回転を停止させても良い。
【０１５７】
さらに上述した実施の形態においては、裏向き紙幣ＢＬｄの進行方向を転換した後に当該裏向き紙幣ＢＬｄの走行を停止させる場合について述べたが、本発明はこれに限らず、裏向き紙幣ＢＬｄの方向転換を行う前に当該裏向き紙幣ＢＬｄの走行を停止させても良い。
【０１５８】
この場合、予め紙幣ＢＬｄの進行方向を転換させた状態で停止させておく方が、表向き紙幣ＢＬｕの後続として搬出する際、タイミング調整が行い易い。
【０１５９】
さらに上述した第２の実施の形態においては、取込ローラ１６４と搬送ローラ１６８とで裏向き紙幣ＢＬｄの一部を挟持したまま当該裏向き紙幣ＢＬｄを保留する場合について述べたが、裏向き紙幣ＢＬｄを挟持しない状態で保留しても良い。
【０１６０】
さらに上述した実施の形態においては、表向き紙幣は非反転搬送路４４をそのまま通過させ、裏向き紙幣は反転搬送路４６を通過させることにより表裏反転する場合について述べた。本発明はこれに限らず、裏向き紙幣は非反転搬送路４４をそのまま通過させ、表向き紙幣は反転搬送路４６を通過させることにより表裏反転するようにしても良い。
【０１６１】
さらに上述した実施の形態においては、媒体として紙幣について述べたが、本発明はこれに限らず、例えば商品券や金券、入場券等のような薄い紙状の媒体であれば良い。
【０１６２】
さらに上述した実施の形態においては、反転搬送路としての反転搬送路４６と、非反転搬送路としての非反転搬送路４４と、媒体搬送制御部としての紙幣搬送制御部７４又は１７４とによって、媒体表裏反転装置としての表裏反転部４０又は１４０を構成する場合について述べた。
【０１６３】
本発明はこれに限らず、その他種々の構成でなる反転搬送路と、非反転搬送路と、媒体搬送制御部とによって、媒体表裏反転装置を構成するようにしても良い。
【０１６４】
さらに上述した実施の形態においては、接客部としての接客部３と、反転搬送路としての反転搬送路４６と、非反転搬送路としての非反転搬送路４４と、媒体搬送制御部としての紙幣搬送制御部７４又は１７４とによって、媒体取引装置としての現金自動預払機１又は１０１を構成する場合について述べた。
【０１６５】
本発明はこれに限らず、その他種々の構成でなる接客部と、搬送部と、反転搬送路と、反転搬送路と、媒体搬送制御部とによって、媒体取引装置を構成するようにしても良い。
【産業上の利用可能性】
【０１６６】
本発明は、紙幣等の紙葉類を搬送する種々の装置でも利用できる。
【符号の説明】
【０１６７】
１、１０１……現金自動預払機、２……筐体、３……接客部、４……カード入出口、５……入出金口、６……操作表示部、７……テンキー、８……レシート発行口、９……制御部、９Ａ……記憶部、１０、１１０……紙幣入出金機、１１……紙幣入出金機筐体、１２……紙幣制御部、１３……入出金部、１４……搬送部、１５……鑑別部、１６……一時保留部、１７……リジェクト庫、１８……紙幣収納ユニット、２０……取忘れ保管庫、２１……補充回収庫、２２……補充入出金部、３５……収納カセット、４０、１４０、２４０……表裏反転部、４２、２４２……搬入搬送路、４４、２４４……非反転搬送路、４６、２４６……反転搬送路、４８、２４８……搬出搬送路、５０、２５０……搬送分岐部分、５２、２５２……搬送合流部分、５４、２５４……紙幣検出部、５６、２５６……搬送切替部、５８、２５８……反転プール部、６０、２６０……反転前搬送路、６２、２６２……反転後搬送路、６４、１６４、２６４……取込ローラ、６６、２６６……羽根車、６８、１６８、２６８……搬送ローラ、７０……遮断板、７２……紙幣保持切替部、７４、１７４……紙幣搬送制御部、Ｄ１……遮断板露出方向、Ｄ２……遮断板退避方向、Ｄ３……ローラ駆動断絶方向、Ｄ４……ローラ駆動伝達方向、ＮＴｄ……裏向き紙幣所要時間、ＮＴｕ……表向き紙幣所要時間、ＢＬ……紙幣、ＢＬｕ……表向き紙幣、ＢＬｄ……裏向き紙幣、Ｐ２……反転搬送路振分位置、Ｐ１……非反転搬送路振分位置。
【図１】
0005533910.tif 000002
【図２】
0005533910.tif 000003
【図３】
0005533910.tif 000004
【図４】
0005533910.tif 000005
【図５】
0005533910.tif 000006
【図６】
0005533910.tif 000007
【図７】
0005533910.tif 000008
【図８】
0005533910.tif 000009
【図９】
0005533910.tif 000010
【図１０】
0005533910.tif 000011
【図１１】
0005533910.tif 000012
【図１２】
0005533910.tif 000013
【図１３】
0005533910.tif 000014
【図１４】
0005533910.tif 000015